【事件の表示】
　平成１０年特許願第５００７６２号「ＢＴＳＣエンコーダ」拒絶査定不服審判事件〔平成　９年１２月１１日国際公開、ＷＯ９７／４７１０２、平成１２年１０月１７日国内公表、特表２０００−５１３８８８〕について、次のとおり審決する。
【結　論】
　本件審判の請求は、成り立たない。
【理　由】
第１　手続の経緯
　本願は、平成９年６月２日（パリ条約による優先権主張　平成８年６月７日、米国）の出願であって、平成２０年１月７日付けで拒絶査定がされ（発送日：同年１月１５日）、これに対して同年４月１４日に拒絶査定不服審判が請求がされるとともに、同年５月１４日付けで手続補正がなされたものである。
　
第２　平成２０年５月１４日付けの手続補正についての補正却下の決定
［補正却下の結論］
  平成２０年５月１４日付けの手続補正（以下、「本件補正」という。）を却下する。
　
［理由］
１．本願補正発明
　本件補正により、特許請求の範囲の請求項１は、
「【請求項１】適応型信号重み付けシステムであって
、所
る信
ＢＴＳＣ規格に従いその信号を処理し
可変エンファシス
（２９０）
前記可変エンファシスフィルタに印加
る第
器（２８０）
、第
る利
器
る第
器（図１０の広帯域ＢＰＦ、ＲＭＳ、１／Ｘ及び乗算器）
　
前記システムは、更に、
　前記音声情報信号がデジタル音声情報信号であり、
　前記
可変エンファシス
タが
るデ
　前記利得制御
器
タに
器
るデ
器
　前記第２の制御信号発生
器
　前記デジタルフィル
タ、
器
器
器
リアルタイムで動作し
る、
　システム。」
と補正された。（下線は，補正箇所を示す。）
　
　上記補正は、請求項１に記載した発明を特定するために必要な事項である「適応型信号重み付けシステム」について「ＢＴＳＣ規格に従いその信号を処理し」との限定を付加するとともに、「フィルタ手段」について「可変エンファシスフィルタ」と限定し、「前記第１の制御信号を発生するための第１の制御信号発生手段」について「前記第１の制御信号を前記可変エンファシスフィルタに印加する第１の制御信号発生器」と限定することを含むものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
　
２．引用発明
　原査定の拒絶の理由で引用された、本願の優先日前に頒布された刊行物である、Leslie B. Tyler et al., A COMPANDING SYSTEM FOR MULTICHANNEL TV SOUND, IEEE Transactions on Consumer Electronics, １９８４年１１月, 第ＣＥ−３０巻, 第４号, ｐ．６３３−６４０（以下、「引用例」という。）には、図面とともに以下の事項が記載されている。（下線は当審にて付与。訳文は当審訳。）
　
（ア）　「INTRODUCTION
　　　Without companding, the BTSC* multichannel-TV-sound-transmission system is capable of very high-quality transmission and reception of stereo audio.
　　　*The EIA's Broadcast Television Systems Committee system combines a proposal for subcarrier allocation and modulation from Zenith with a proposal for companding from dbx. The BTSC recommended to the FCC that this combination be the standard for US multichannel television.」（６３３ページ左欄２５−２９行、及び、脚注。）
（「イントロダクション」　コンパンディングなしでも、
ＢＴＳＣ*多重チャンネル・テレビ音響伝送システム
非常に高品質のステレオ音声の送信および受信ができ
（脚注）* 　ＥＩＡ（アメリカ電子工業会）の「放送テレビジョン方式委員会（
ＢＴＳＣ
B
T
S
C
システム
米国の多重チャンネル・テレビジョンの規格として
　
（イ）　「HOW SPECTRAL COMPRESSION WORKS
　　　The spectral compressor consists of a variable pre/deemphasis stage and a band-limited rms-level detector (Fig 5). The filtering that precedes the detector restricts its sensing range to high audio frequencies. The detector output is actually a voltage proportional to the log of the sensed energy (therefore proportional to the decibel-rms -value of the high-frequency energy). This voltage is used to control the pre/deemphasis characteristic.
　　　The variable-preemphasis/deemphasis stage works by varying the gain of a voltage-controlled amplifier (VCA) embedded in a frequency-selective network (Fig. 6). When the gain is low, no signal appears at point B. The only transfer from the input to the output must go from point C to the output, which passes through the deemphasis network. This attenuates high frequencies.
Alternatively, when the VCA gain is high, the response between point A and the output is essentially flat (this is analogous to an op amp with a closed feedback loop). The signal at point C is small compared with the signal at point B (because of the high VCA gain), so the output signal is essentially the same as that at point A, which is the input signal after preemphasis. This provides gain to high frequencies.
　　　At intermediate VCA-gain settings, the frequency-amplitude response varies smoothly between these two extremes, with flat occurring at unity (0-dB) VCA gain.
　　　The range of variation in the frequency response curves that the spectral compressor can produce is substantial: from +27 to -27 dB at 15 kHz (Fig. 7). The transfer function S(f,b) describing this response is shown below.
　　　S(f,b) = 1 +(jf/F)(b+51)/(b+1) / 1 +(jf/F)(1+51b)/(b+1)
where F = 20.1kHz, b = 10(d/20), and d is the decibel-rms value of the signal sensed by the bandlimited rms detector.」（６３６ページ左欄下から１１行目−同ページ右欄下から５行目）
（「スペクトル圧縮はどのように動作するか」　
スペクトル・コンプレッサは、可変プリ／ディエンファシス段、および、帯域制限されたｒｍｓレベル検出器（図５）から成り
検知器に先行するフィルタリングは、高域可聴周波数に、それが感知する帯域を制限します。検出器出力は、
高域周波数エネルギーの「デシベルｒｍｓ」値に比例する)電圧です。この電圧は、プリ／ディエンファシス特性を制御するために使用され
　
可変プリエンファシス／ディエンファシス段は、周波数選択回路網（図６）に埋め込まれている、電圧制御増幅器（ＶＣＡ）の利得を変えることにより動作し
　一方、ＶＣＡ利得が高い場合には、ポイントＡと出力の間の応答特性は、本質的にフラットです(これは閉じたフィードバック・ループを備えた演算増幅器と類似しています)。ポイントＢの信号と比較して、(高いＶＣＡ利得のために)ポイントＣの信号は小さいです。したがって、出力信号は本質的にポイントＡのそれと同じです。それはプリエンファシス後の入力信号です。これは高域周波数に利得を与えます。
　中間的なＶＣＡ利得の設定では、周波数−振幅の応答特性は、これら両極端の間で滑らかに変化し、単位(０ｄＢ)ＶＣＡ利得において、フラットな状態が生じます。
　スペクトル・コンプレッサが生成できる、周波数応答カーブの変化の範囲は、非常に大きいです：　１５ＫＨｚにおいて、＋２７〜−２７ｄＢまで（図７）。この応答を記述する伝達関数S(f、b)は以下に示されます。
　　　S(f、b)=1+(jf/F)(b+51)/(b+1)/1+(jf/F)(1+51b)/(b+1)　
ここで、F=20.1kHz、b=10(d/20)、dは帯域制限されたｒｍｓ検知器によって感知された信号のデシベルrms値である。）
　
（ウ）　「HOW WIDEBAND AMPLITUDE COMPRESSION WORKS
　　　The wideband amplitude compressor works by controlling the gain of a VCA in response to an rms-level detector that senses the low- and midfrequency-energy level at the output of the compressor (Fig. 12). The VCA acts to reduce gain when signal amplitudes are high and boost gain when they are low. Since all frequencies in the input signal pass through this VCA, the action is the same for all frequencies. The transfer function W(a), below, describes this action.
　　　W(a) = 1 / a
where a = 10(c/20), and c is the decibel-rms value of the signal sensed by the bandlimited rms detector. Since the VCA used is exponential responding, the conversion from the variable c (representing the log-scaled control voltage) to the variable a (representing the linear voltage gain of the VCA) is easily accomplished. This combination provides precisely decilinear response (Fig. 13).
　　　The filter restricting the rms-level sensor rolls off at about 35 Hz and 2.1 kHz, thereby limiting the sensed energy to the dominant energy in most program material (Fig 14). 」（６３８ページ右欄１１行−６３９ページ左欄４行）
（「広帯域振幅圧縮はどのように動作するか」　
広帯域振幅コンプレッサは、広帯域の振幅コンプレッサの出力（図１２）における、低域および中域周波数のエネルギー・レベルを感知するｒｍｓレベル検出器に応じて、ＶＣＡの利得を制御することにより動作
ＶＣＡは、信号振幅が高い場合には利得を減じ、信号振幅が低い場合には利得を増加するように作用し
入力信号のすべての周波数がこのＶＣＡを通り抜けるので、その作用は、すべての周波数に対して同じで
　　　W(a)=1 / a
ここでa=10(c/20)、また、cは帯域制限されたｒｍｓ検知器によって感知された信号のデシベルｒｍｓ値です。使用されるＶＣＡが、指数的に応答しているので、変数ｃ(対数でスケールされた制御電圧を表わす)から、変数ａ(ＶＣＡの線形の電圧利得を表わす)への変換は、容易に行なわれます。この組合せは、正確な「デシベル直線型」応答（図１３）を提供します。
　
ｒｍｓレベル検出器を、約３５Ｈｚおよび２．１ＫＨｚのロールオフで制限するフィルタは、それによって、感知されるエネルギーを、ほとんどの番組マテリアル（図１４）中の主要なエネルギーに制限
　
（エ）　「CONCLUSION
　　　The BTSC system provides true high-fidelity stereo performance for all viewers within the present range of TV signals. 」（６４０ページ右欄７−１０行）
（「結論」　ＢＴＳＣシステムは、ハイファイ・ステレオ・パフォーマンスを、テレビ信号の現在の範囲内のすべての視聴者に提供します。）
　
（オ）　「The spectral expander (Fig. 10) is a mirror image of the spectral compressor. The same variable preemphasis/deemphasis network is used, controlled by an identical rms-level detector sensing energy in the same passband. Only the control polarity is changed. 」（６３７ページ右欄下から１０行目−下から５行目）
（
スペクトル・エキスパンダー（図１０）は、
同じ可変プリエンファシス／ディエンファシス回路
同じ通過帯域中の、同じｒｍｓレベル検出器
ただ制御の極性だけが変更されます
　
（カ）　「The wideband amplitude expander (Fig. 15) is a mirror image of the wideband amplitude compressor. The same VCA is used, controlled by an identical rms-level detector sensing energy in the same passband. As in the spectral compander, only the control polarity is changed. 」（６３９ページ左欄下から２行目−右欄４行）
（
広帯域振幅エキスパンダー（図１５）は
同じＶＣＡ
同じ通過帯域中の、同じｒｍｓレベル検出器
スペクトル・コンパンダーと同様に、制御の極性だけが変更されます
　
　これらの記載、及び、図面（特に図５−図６、図１０、図１２、図１５−図１７）から、引用例には、次の発明（以下、「引用発明」という。）が記載されている。
　
「非常に高品質のステレオ音声の送信および受信ができる、ＢＴＳＣ多重チャンネル・テレビ音響伝送システムであって、
　ＢＴＳＣシステムは、米国の多重チャンネル・テレビジョンの規格であり、
　ＢＴＳＣシステムの送信側（圧縮側）は、「スペクトル・コンプレッサ」と「広帯域振幅コンプレッサ」とを備え、
　「スペクトル・コンプレッサ」は、「可変プリエンファシス／ディエンファシス段」、および、「帯域制限されたｒｍｓレベル検出器」から成り、
　「検知器」に先行するフィルタリングは、高域可聴周波数に、それが感知する帯域を制限し、「検出器」出力は、高域周波数エネルギーの「デシベルｒｍｓ」値に比例する電圧であり、この電圧は、プリ／ディエンファシス特性を制御するために使用され、
　「可変プリエンファシス／ディエンファシス段」は、周波数選択回路網に埋め込まれている、電圧制御増幅器（ＶＣＡ）の利得を変えることにより動作し、
　「広帯域振幅コンプレッサ」は、広帯域の振幅コンプレッサの出力において、「低域および中域周波数エネルギー・レベルを感知するｒｍｓレベル検出器」に応じて、「ＶＣＡ」の利得を制御することにより動作し、
　「ＶＣＡ」は、信号振幅が高い場合には利得を減じ、信号振幅が低い場合には利得を増加するように作用し、入力信号のすべての周波数がこの「ＶＣＡ」を通り抜けるので、その作用は、すべての周波数に対して同じであり、
　「ｒｍｓレベル検出器」を、約３５Ｈｚおよび２．１ＫＨｚのロールオフで制限するフィルタは、それによって、感知されるエネルギーを、ほとんどの番組マテリアル中の主要なエネルギーに制限する、
　ＢＴＳＣ多重チャンネル・テレビ音響伝送システム。」
　
３．対比
　本願補正発明と引用発明とを対比する。
　
　引用発明の「
ＢＴＳＣ
ステレオ音声
高域周波数エネルギーの「デシベルｒｍｓ」値に比例する電圧で制御され
スペクトル圧伸
　よって、引用発明の「
ＢＴＳＣ
　
　以下、引用発明の「
ＢＴＳＣ
　
（Ａ）　引用発明の「可変プリ／ディエンファシス段」と本願補正発明（Ａ）の「可変エンファシスフィルタ」について
　引用発明の「可変プリ／ディエンファシス段」は、「米国の多重チャンネル・テレビジョンの規格」である「ＢＴＳＣシステム」の構成要素であって、「周波数選択
回路網に埋め込まれている
利得を変える
高域周波数エネルギーの「デシベルｒｍｓ」値に比例する電圧
　よって、引用発明の「可変プリ／ディエンファシス段」は、本願補正発明の、「
ＢＴＳＣ規格に従い
　
（Ｂ）　引用発明の「帯域制限されたｒｍｓレベル検出器」と本願補正発明（Ｂ）の「第１の制御信号発生器」について
　引用発明の「帯域制限されたｒｍｓレベル検出器」は、「米国の多重チャンネル・テレビジョンの規格」である「ＢＴＳＣシステム」の構成要素であって、検知器に先行するフィルタリングによって、「
高域可聴周波数に
感知する帯域を制限
　よって、引用発明の「帯域制限されたｒｍｓレベル検出器」は、本願補正発明の、「
ＢＴＳＣ規格に従い
　
（Ｃ）　引用発明の「ＶＣＡ」と本願補正発明（Ｃ）の「利得制御器」について
　引用発明の「ＶＣＡ」は、「米国の多重チャンネル・テレビジョンの規格」である「ＢＴＳＣシステム」の構成要素であって、「信号振幅が高い場合には利得を減じ、信号振幅が低い場合には利得を増加するように作用し」、「
入力信号
がこの「ＶＣＡ」を通り抜ける
低域および中域周波数
　よって、引用発明の「ＶＣＡ」は、本願補正発明の、「
ＢＴＳＣ規格に従い
　
（Ｄ）　引用発明の「低域および中域周波数エネルギー・レベルを感知するｒｍｓレベル検出器」と本願補正発明（Ｄ）の「第２の制御信号発生器」について
　引用発明の「
低域および中域周波数エネルギー・レベルを感知する
感知されるエネルギーを
約３５Ｈｚおよび２．１ＫＨｚのロールオフで制限す
　よって、本願補正発明の、「
ＢＴＳＣ規格に従い
　
　したがって、両者の一致点、相違点は以下のとおりである。
　
［一致点］
「適応型信号重み付けシステムであって、所定の帯域幅の音声情報信号を送信する信号経路を含みＢＴＳＣ規格に従いその信号を処理し、前記システムがさらに、
（Ａ）前記信号経路内に配置され、第１の可変利得ファクターにより前記所定の帯域幅内の第１の選択スペクトル領域内で前記音声情報信号の一部に印加された利得を変化させる可変エンファシスフィルタ（２９０）を含み、前記第１の可変利得ファクターは第１の制御信号の関数としてこれに応答して変化し、
（Ｂ）前記第１の選択スペクトル領域の少なくとも一部を含む第２の選択スペクトル領域内で前記音声情報信号の信号エネルギーにしたがってこれに応答してのみ前記第１の制御信号を前記可変エンファシスフィルタに印加する第１の制御信号発生器（２８０）を含み、
（Ｃ）前記信号経路内に配置され、第２の可変利得ファクターにより前記所定の帯域幅を通って前記音声情報信号上で印加された信号利得を変化する利得制御器を含み、前記第２の可変利得ファクターは、第２の制御信号の関数としてこれに応答して変化し、及び
（Ｄ）前記所定の帯域幅内の第３の選択スペクトル領域の内部で前記音声情報信号の信号エネルギーの関数としてこれに応答して前記第２の制御信号を発生する第２の制御信号発生器（図１０の広帯域ＢＰＦ、ＲＭＳ、１／Ｘ及び乗算器）を含む、
　システム。」である点。
　
［相違点］
　本願補正発明の適応型信号重み付けシステムは、更に、
　前記「音声情報信号」が、「
デジタル
　前記「可変エンファシスフィルタ」が、「前記信号経路内に配置され、第１の可変利得フィルタにより前記所定帯域幅内の第１の選択スペクトル領域内でデジタル音声情報信号の一部に印加された利得を変化させる
デジタル
　前記「利得制御器」が、「前記信号経路内に配置されかつ前記デジタルフィルタに接続された
デジタル
デジタル
　前記「第２の制御信号発生器」が、「前記所定の帯域幅内の第３の選択スペクトル領域の内部で前記デジタル音声情報信号の信号エネルギーの関数としてこれに応答して前記第２の制御信号を
デジタル的に
　「前記デジタルフィルタ」、「第１の制御信号発生器」、「デジタル利得制御器」、及び「第２の制御信号発生器」は、各々、「リアルタイムで動作して
デジタル
デジタル
　
　
４．相違点についての判断
　一般に、圧縮／伸張（コンパンディング）処理などを含む各種の「信号処理」を、「デジタル信号処理」で行うことは、周知である（
特開平７−１６２３８３号公報
ＬおよびＲ信号は
プリエンファシスされる
ディジタル信号処理により
特開平５−２１８９９２号公報
デジタル処理（３，４）された
主信号
デジタル処理（３，４）された
副信号（７）
Zohar Raz and David E. Borth, 
A Digital Signal Processing Approach to Multichannel Television Sound Decoding,
 IEEE Transactions on Consumer Electronics, １９８６年８月, 第ＣＥ−３２巻, 第３号, ｐ．４５３−４６２
このシステムのＭＴＳエキスパンダは、ＢＴＳＣ仕様書と完全な互換性をもつ
ＭＴＳエキスパンダのデジタル信号処理インプリメンテーション
特表平６−５０９２０１号公報
専用ＤＳＰチップによって複雑なフィルタが最善に作成されている
電圧制御パラメトリックイコライザ
動的に変化する曲線の当てはめは、ディジタル処理によって最も直接的に扱うことができることがわかるであろう
福井末憲、「オーディオの錬金術、デジタルダイナミック・イコライザ」、ラジオ技術、日本、（株）アイエー出版、１９９４年１０月０１日発行、第４８巻　第１０号、ｐ．１０９−１１４
ダイナミック・イコライザは
ソフト・ウェアとＤＳＰを活用のシステム
アナログ式リミター／コンプレッサと同じ感覚で，下記の調整が可能です
　
　さらに、上記３（オ）の「スペクトル・エキスパンダー（図１０）は、スペクトル・コンプレッサの鏡像です。・・・ただ制御の極性だけが変更されます。」、上記３（カ）の「広帯域振幅エキスパンダー（図１５）は、広帯域振幅コンプレッサの鏡像です。・・・スペクトル・コンパンダーと同様に、制御の極性だけが変更されます。」の記載を参照すると、ＢＴＳＣシステムにおいて、送信側（圧縮側）のコンプレッサの主要部と、受信側（伸張側）のエキスパンダの主要部は、制御信号の極性を反転することで、どちらも構成できると認められる。
　
　したがって、引用発明のシステムに、圧縮／伸張（コンパンディング）処理など各種の「信号処理」を、「デジタル信号処理」で行う周知技術を適用して、各構成要素の信号処理を「デジタル信号処理」で行うように構成することで、引用発明のシステムにおいて、前記「音声情報信号」が、「
デジタル
デジタル
デジタル
デジタル
デジタル的に
デジタル
　
　そして、本願補正発明のように構成したことによる効果も引用発明及び周知技術から予測できる程度のものである。
　
５．むすび
　以上のとおり、本願補正発明は、引用発明、及び周知技術に基づいて、当業者が容易に発明をすることができたものであるから、特許法第２９条第２項の規定により特許を受けることができない。
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　平成２０年５月１４日付けの手続補正は上記のとおり却下されたので、本願の請求項１に係る発明は、平成１９年１１月２２日付手続補正書の特許請求の範囲の請求項１に記載された事項により特定されるとおりのものである。（以下、「本願発明」という。）
「適応型信号重み付けシステムであって、前記システムを通る所定の帯域幅の音声情報信号を送信する信号経路を含み、前記システムがさらに、（Ａ）前記信号経路内に配置され、第１の可変利得ファクターにより前記所定の帯域幅内の第１の選択スペクトル領域内で前記音声情報信号の一部に印加された利得を変化させるためのフィルタ手段を含み、前記第１の可変利得ファクターは第１の制御信号の関数としてこれに応答して変化し、（Ｂ）前記第１の選択スペクトル領域の少なくとも一部を含む第２の選択スペクトル領域内で前記音声情報信号の信号エネルギーにしたがってこれに応答してのみ前記第１の制御信号を発生するための第１の制御信号発生手段を含み、（Ｃ）前記信号経路内に配置され、かつ、前記フィルタ手段に接続された利得制御手段であって、第２の可変利得ファクターにより前記所定の帯域幅を通って前記音声情報信号上で印加された信号利得を変化するための利得制御手段を含み、前記第２の可変利得ファクターは、第２の制御信号の関数としてこれに応答して変化し、及び（Ｄ）前記所定の帯域幅内の第３の選択スペクトル領域の内部で前記音声情報信号の信号エネルギーの関数としてこれに応答して前記第２の制御信号を発生するための第２の制御信号発生手段を含み、
　前記音声情報信号がデジタル音声情報信号であり、
　前記フィルタ手段が、前記信号経路内に配置され、第１の可変利得フィルタにより前記所定帯域幅内の第１の選択スペクトル領域内でデジタル音声情報信号の一部に印加された利得を変化させるためのデジタルフィルタであり、
　前記利得制御手段が、前記信号経路内に配置されかつ前記デジタルフィルタ手段に接続されたデジタル利得制御手段であって、前記所定の帯域幅を通って前記デジタル音声情報信号上で印加された信号利得を変化するためのデジタル利得制御手段であり、
　前記第２の制御信号発生手段が、前記所定の帯域幅内の第３の選択スペクトル領域の内部で前記デジタル音声情報信号の信号エネルギーの関数としてこれに応答して前記第２の制御信号をデジタル的に発生し、
　前記デジタルフィルタ手段、第１の制御信号発生手段、デジタル利得制御手段、及び第２の制御信号発生手段は、各々、デジタル音声情報信号の信号内容を保存するために、リアルタイムで動作する、
　システム。」
　
２．引用例
　引用例の記載については、上記「第２　２．引用発明」で述べたとおりである。
　
３．対比・判断
　本願発明は、実質的に、前記「第２　１．本願補正発明」で検討した本願補正発明の「適応型信号重み付けシステム」について「ＢＴＳＣ規格に従いその信号を処理し」との限定を省くとともに、「フィルタ手段」について「可変エンファシスフィルタ」との限定を省き、「前記第１の制御信号を発生するための第１の制御信号発生手段」について「前記第１の制御信号を前記可変エンファシスフィルタに印加する第１の制御信号発生器」との限定を省いたものである。
　そうすると、実質的に、本願発明の構成要件をすべて含み、さらに他の構成要件を付加したものに相当する本願補正発明が、上記「第２　４．相違点についての判断」に記載したとおり、引用発明及び各周知技術に基づいて、当業者が容易に発明をすることができたものであるから、本願発明も同様の理由により、引用発明及び各周知技術に基づいて、当業者が容易に発明をすることができたものである。　
　
４．むすび
　以上のとおり、本願発明は、引用発明及び各周知技術に基づいて、当業者が容易に発明をすることができたものであるから、他の請求項について論及するまでもなく、本願は、特許法第２９条第２項の規定により特許を受けることができない。
　よって、結論のとおり審決する。